(57)【要約】【課題】放電灯の寿命を向上できる放電灯駆動装置を提供する。【解決手段】本発明の放電灯駆動装置の一つの態様は、放電灯に駆動電力を供給する放電灯駆動部と、放電灯駆動部を制御する制御部と、放電灯の電極間電圧を検出する電圧検出部と、を備え、制御部は、放電灯に供給される駆動電力を周期的に変動させる電力変動駆動を実行可能であり、制御部は、電力変動駆動において、電圧検出部によって検出された第１電極間電圧が閾値以上の場合、駆動電力が所定電力以上となる期間の割合を大きくすることを特徴とする。【選択図】図８
2016173921.tif 000002
【特許請求の範囲】
【請求項１】
放電灯に駆動電力を供給する放電灯駆動部と、
前記放電灯駆動部を制御する制御部と、
前記放電灯の電極間電圧を検出する電圧検出部と、
を備え、
前記制御部は、前記放電灯に供給される前記駆動電力を周期的に変動させる電力変動駆
動を実行可能であり、
前記制御部は、前記電力変動駆動において、前記電圧検出部によって検出された第１電
極間電圧が閾値以上の場合、前記駆動電力が所定電力以上となる期間の割合を大きくする
ことを特徴とする放電灯駆動装置。
【請求項２】
前記所定電力の値は、前記電力変動駆動における前記駆動電力の最大値と最小値との中
間の値である、請求項１に記載の放電灯駆動装置。
【請求項３】
前記所定電力の値は、前記電力変動駆動における前記駆動電力の平均の値である、請求
項１または２に記載の放電灯駆動装置。
【請求項４】
前記制御部は、前記期間の割合を大きくした後に前記電圧検出部によって検出された第
２電極間電圧が、前記第１電極間電圧以上の場合、前記期間の割合をさらに大きくする、
請求項１から３のいずれか一項に記載の放電灯駆動装置。
【請求項５】
前記制御部は、前記期間の割合を大きくした後に前記電圧検出部によって検出された第
２電極間電圧が、前記閾値よりも小さい場合、前記期間の割合を小さくする、請求項１か
ら４のいずれか一項に記載の放電灯駆動装置。
【請求項６】
前記電圧検出部は、前記電力変動駆動において、前記駆動電力が最小となるときに前記
電極間電圧を検出する、請求項１から５のいずれか一項に記載の放電灯駆動装置。
【請求項７】
前記制御部は、前記電力変動駆動において、前記第１電極間電圧が前記閾値よりも小さ
い場合、前記期間の割合を維持する、請求項１から６のいずれか一項に記載の放電灯駆動
装置。
【請求項８】
前記制御部は、前記電力変動駆動において、前記駆動電力の変化の速さを４．０Ｗ／ｓ
以下に制御する、請求項１から７のいずれか一項に記載の放電灯駆動装置。
【請求項９】
光を射出する前記放電灯と、
請求項１から８のいずれか一項に記載の放電灯駆動装置と、
を備えることを特徴とする光源装置。
【請求項１０】
請求項９に記載の光源装置と、
前記光源装置から射出される光を画像信号に応じて変調する光変調装置と、
前記光変調装置により変調された光を投射する投射光学系と、
を備えることを特徴とするプロジェクター。
【請求項１１】
前記放電灯から射出される光の光量を調整する絞りを備え、
前記絞りは、前記電力変動駆動において、前記駆動電力の変動に応じた前記放電灯の輝
度の変化を相殺するように、前記光量を調整する、請求項１０に記載のプロジェクター。
【請求項１２】
前記画像信号の輝度情報を調整可能な画像処理装置を備え、
前記画像処理装置は、前記電力変動駆動において、前記駆動電力の変動に応じた前記放
電灯の輝度の変化を相殺するように、前記輝度情報を調整する、請求項１０に記載のプロ
ジェクター。
【請求項１３】
放電灯に駆動電力を供給して、前記放電灯を駆動する放電灯駆動方法であって、
前記放電灯に供給される前記駆動電力を周期的に変動させる電力変動駆動を含み、
前記電力変動駆動において、前記放電灯の第１電極間電圧が閾値以上の場合、前記駆動
電力が所定電力以上となる期間の割合を大きくすることを特徴とする放電灯駆動方法。
【発明の詳細な説明】
【技術分野】
【０００１】
本発明は、放電灯駆動装置、光源装置、プロジェクター、および放電灯駆動方法に関す
る。
【背景技術】
【０００２】
例えば、特許文献１には、光源の長寿命化を目的として、一定時間で変化を繰り返す駆
動電力の揺らぎを発生させる技術が開示されている。また、例えば、特許文献２には、定
格電力よりも低いランプ電力が一定時間以上ランプに供給される場合に、ランプ電力を所
定時間、定格電力に上げる技術が開示されている。
【先行技術文献】
【特許文献】
【０００３】
【特許文献１】特許第４１１１２３８号公報
【特許文献２】特許第５５３６２１８号公報
【発明の概要】
【発明が解決しようとする課題】
【０００４】
しかし、放電灯の電極の状態は環境や使用状況によって変わるため、単純に駆動電力を
変化させるだけでは、電極の突起が十分に成長しない場合があり、放電灯の寿命を十分に
向上できない場合があった。
【０００５】
本発明の一つの態様は、上記問題点に鑑みて成されたものであって、放電灯の寿命を向
上できる放電灯駆動装置、そのような放電灯駆動装置を備えた光源装置、およびそのよう
な光源装置を備えたプロジェクターを提供することを目的の一つとする。また、本発明の
一つの態様は、放電灯の寿命を向上できる放電灯駆動方法を提供することを目的の一つと
する。
【課題を解決するための手段】
【０００６】
本発明の放電灯駆動装置の一つの態様は、放電灯に駆動電力を供給する放電灯駆動部と
、前記放電灯駆動部を制御する制御部と、前記放電灯の電極間電圧を検出する電圧検出部
と、を備え、前記制御部は、前記放電灯に供給される前記駆動電力を周期的に変動させる
電力変動駆動を実行可能であり、前記制御部は、前記電力変動駆動において、前記電圧検
出部によって検出された第１電極間電圧が閾値以上の場合、前記駆動電力が所定電力以上
となる期間の割合を大きくすることを特徴とする。
【０００７】
本発明の放電灯駆動装置の一つの態様によれば、制御部は、第１電極間電圧が閾値以上
の場合、電力変動駆動における駆動電力が所定電力以上となる期間の割合を大きくする。
そのため、放電灯が劣化した場合に、電力変動駆動において放電灯の電極に与える熱負荷
を大きくしやすい。これにより、放電灯が劣化した場合に、電極の突起を成長させること
ができる。したがって、本発明の放電灯駆動装置の一つの態様によれば、放電灯の寿命を
向上できる。
【０００８】
前記所定電力の値は、前記電力変動駆動における前記駆動電力の最大値と最小値との中
間の値である構成としてもよい。
この構成によれば、駆動電力が所定電力以上となる期間の割合を大きくすることで、電
力変動駆動において放電灯の電極に与える熱負荷をより大きくしやすい。
【０００９】
前記所定電力の値は、前記電力変動駆動における前記駆動電力の平均の値である構成と
してもよい。
この構成によれば、駆動電力が所定電力以上となる期間の割合を大きくすることで、電
力変動駆動において放電灯の電極に与える熱負荷をより大きくできる。
【００１０】
前記制御部は、前記期間の割合を大きくした後に前記電圧検出部によって検出された第
２電極間電圧が、前記第１電極間電圧以上の場合、前記期間の割合をさらに大きくする構
成としてもよい。
この構成によれば、放電灯の寿命をより向上できる。
【００１１】
前記制御部は、前記期間の割合を大きくした後に前記電圧検出部によって検出された第
２電極間電圧が、前記閾値よりも小さい場合、前記期間の割合を小さくする構成としても
よい。
この構成によれば、放電灯の電極の状態に応じて、駆動電力が所定電力以上となる期間
の割合を適切に変化させることができる。そのため、放電灯の寿命をより向上できる。
【００１２】
前記電圧検出部は、前記電力変動駆動において、前記駆動電力が最小となるときに前記
電極間電圧を検出する構成としてもよい。
この構成によれば、放電灯の劣化状態を正確に判断しやすい。
【００１３】
前記制御部は、前記電力変動駆動において、前記第１電極間電圧が前記閾値よりも小さ
い場合、前記期間の割合を維持する構成としてもよい。
この構成によれば、駆動電力が所定電力以上となる期間の割合を適切に変化させること
ができる。
【００１４】
前記制御部は、前記電力変動駆動において、前記駆動電力の変化の速さを４．０Ｗ／ｓ
以下に制御する構成としてもよい。
この構成によれば、駆動電力の変化による放電灯の輝度の変化を使用者に認識させにく
くできる。
【００１５】
本発明の光源装置の一つの態様は、光を射出する前記放電灯と、上記の放電灯駆動装置
と、を備えることを特徴とする。
【００１６】
本発明の光源装置の一つの態様によれば、上記の放電灯駆動装置を備えるため、放電灯
の寿命を向上できる。
【００１７】
本発明のプロジェクターの一つの態様は、上記の光源装置と、前記光源装置から射出さ
れる光を画像信号に応じて変調する光変調装置と、前記光変調装置により変調された光を
投射する投射光学系と、を備えることを特徴とする。
【００１８】
本発明のプロジェクターの一つの態様によれば、上記の光源装置を備えるため、放電灯
の寿命を向上できる。
【００１９】
前記放電灯から射出される光の光量を調整する絞りを備え、前記絞りは、前記電力変動
駆動において、前記駆動電力の変動に応じた前記放電灯の輝度の変化を相殺するように、
前記光量を調整する構成としてもよい。
この構成によれば、プロジェクターから射出される画像の輝度変化を抑制できる。
【００２０】
前記画像信号の輝度情報を調整可能な画像処理装置を備え、前記画像処理装置は、前記
電力変動駆動において、前記駆動電力の変動に応じた前記放電灯の輝度の変化を相殺する
ように、前記輝度情報を調整する構成としてもよい。
この構成によれば、プロジェクターから射出される画像の輝度変化を抑制できる。
【００２１】
本発明の放電灯駆動方法の一つの態様は、放電灯に駆動電力を供給して、前記放電灯を
駆動する放電灯駆動方法であって、前記放電灯に供給される前記駆動電力を周期的に変動
させる電力変動駆動を含み、前記電力変動駆動において、前記放電灯の第１電極間電圧が
閾値以上の場合、前記駆動電力が所定電力以上となる期間の割合を大きくすることを特徴
とする。
【００２２】
本発明の放電灯駆動方法の一つの態様によれば、上述したのと同様にして、放電灯の寿
命を向上できる。
【図面の簡単な説明】
【００２３】
【図１】本実施形態のプロジェクターの概略構成図である。
【図２】本実施形態における放電灯の断面図である。
【図３】本実施形態のプロジェクターの各種構成要素を示すブロック図である。
【図４】本実施形態の放電灯点灯装置の回路図である。
【図５】本実施形態の制御部の一構成例を示すブロック図である。
【図６】放電灯の電極先端の突起の様子を示す図である。
【図７】本実施形態の電力変動駆動における駆動電力を示すグラフである。
【図８】本実施形態の電力変動駆動における制御部の制御手順の一例を示すフローチャートである。
【図９】本実施形態の電力変動駆動における制御部の制御手順の他の一例を示すフローチャートである。
【図１０】本実施形態の電力変動駆動における制御部の制御手順の他の一例を示すフローチャートである。
【図１１】本実施形態の電力変動駆動における駆動電力の他の一例を示すグラフである。
【発明を実施するための形態】
【００２４】
以下、図面を参照しながら、本発明の実施形態に係るプロジェクターについて説明する
。
なお、本発明の範囲は、以下の実施の形態に限定されるものではなく、本発明の技術的
思想の範囲内で任意に変更可能である。また、以下の図面においては、各構成をわかりや
すくするために、実際の構造と各構造における縮尺や数等を異ならせる場合がある。
【００２５】
図１に示すように、本実施形態のプロジェクター５００は、光源装置２００と、平行化
レンズ３０５と、照明光学系３１０と、色分離光学系３２０と、３つの液晶ライトバルブ
（光変調装置）３３０Ｒ，３３０Ｇ，３３０Ｂと、クロスダイクロイックプリズム３４０
と、投射光学系３５０と、を備えている。
【００２６】
光源装置２００から射出された光は、平行化レンズ３０５を通過して照明光学系３１０
に入射する。平行化レンズ３０５は、光源装置２００からの光を平行化する。
【００２７】
照明光学系３１０は、光源装置２００から射出される光の照度を、液晶ライトバルブ３
３０Ｒ，３３０Ｇ，３３０Ｂ上において均一化するように調整する。さらに、照明光学系
３１０は、光源装置２００から射出される光の偏光方向を一方向に揃える。その理由は、
光源装置２００から射出される光を液晶ライトバルブ３３０Ｒ，３３０Ｇ，３３０Ｂで有
効に利用するためである。
【００２８】
照度分布と偏光方向とが調整された光は、色分離光学系３２０に入射する。色分離光学
系３２０は、入射光を赤色光（Ｒ）、緑色光（Ｇ）、青色光（Ｂ）の３つの色光に分離す
る。３つの色光は、各色光に対応付けられた液晶ライトバルブ３３０Ｒ，３３０Ｇ，３３
０Ｂにより、画像信号に応じてそれぞれ変調される。液晶ライトバルブ３３０Ｒ，３３０
Ｇ，３３０Ｂは、後述する液晶パネル５６０Ｒ，５６０Ｇ，５６０Ｂと、偏光板（図示せ
ず）と、を備えている。偏光板は、液晶パネル５６０Ｒ，５６０Ｇ，５６０Ｂのそれぞれ
の光入射側および光射出側に配置される。
【００２９】
変調された３つの色光は、クロスダイクロイックプリズム３４０により合成される。合
成光は投射光学系３５０に入射する。投射光学系３５０は、入射光をスクリーン７００（
図３参照）に投射する。これにより、スクリーン７００上に画像が表示される。なお、平
行化レンズ３０５、照明光学系３１０、色分離光学系３２０、クロスダイクロイックプリ
ズム３４０、投射光学系３５０の各々の構成としては、周知の構成を採用することができ
る。
【００３０】
図２は、光源装置２００の構成を示す断面図である。光源装置２００は、光源ユニット
２１０と、放電灯点灯装置（放電灯駆動装置）１０と、を備えている。図２には、光源ユ
ニット２１０の断面図が示されている。光源ユニット２１０は、主反射鏡１１２と、放電
灯９０と、副反射鏡１１３と、を備えている。
【００３１】
放電灯点灯装置１０は、放電灯９０に駆動電力Ｗｄを供給して放電灯９０を点灯させる
。主反射鏡１１２は、放電灯９０から放出された光を照射方向Ｄに向けて反射する。照射
方向Ｄは、放電灯９０の光軸ＡＸと平行である。
【００３２】
放電灯９０の形状は、照射方向Ｄに沿って延びる棒状である。放電灯９０の一方の端部
を第１端部９０ｅ１とし、放電灯９０の他方の端部を第２端部９０ｅ２とする。放電灯９
０の材料は、例えば、石英ガラス等の透光性材料である。放電灯９０の中央部は球状に膨
らんでおり、その内部は放電空間９１である。放電空間９１には、希ガス、金属ハロゲン
化合物等を含む放電媒体であるガスが封入されている。
【００３３】
放電空間９１には、第１電極９２および第２電極９３の先端が突出している。第１電極
９２は、放電空間９１の第１端部９０ｅ１側に配置されている。第２電極９３は、放電空
間９１の第２端部９０ｅ２側に配置されている。第１電極９２および第２電極９３の形状
は、光軸ＡＸに沿って延びる棒状である。放電空間９１には、第１電極９２および第２電
極９３の電極先端部が、所定距離だけ離れて対向するように配置されている。第１電極９
２および第２電極９３の材料は、例えば、タングステン等の金属である。
【００３４】
放電灯９０の第１端部９０ｅ１に、第１端子５３６が設けられている。第１端子５３６
と第１電極９２とは、放電灯９０の内部を貫通する導電性部材５３４により電気的に接続
されている。同様に、放電灯９０の第２端部９０ｅ２に、第２端子５４６が設けられてい
る。第２端子５４６と第２電極９３とは、放電灯９０の内部を貫通する導電性部材５４４
により電気的に接続されている。第１端子５３６および第２端子５４６の材料は、例えば
、タングステン等の金属である。導電性部材５３４，５４４の材料としては、例えば、モ
リブデン箔が利用される。
【００３５】
第１端子５３６および第２端子５４６は、放電灯点灯装置１０に接続されている。放電
灯点灯装置１０は、第１端子５３６および第２端子５４６に、放電灯９０を駆動するため
の駆動電力Ｗｄを供給する。その結果、第１電極９２および第２電極９３の間でアーク放
電が起きる。アーク放電により発生した光（放電光）は、破線の矢印で示すように、放電
位置から全方向に向かって放射される。
【００３６】
主反射鏡１１２は、固定部材１１４により、放電灯９０の第１端部９０ｅ１に固定され
ている。主反射鏡１１２は、放電光のうち、照射方向Ｄと反対側に向かって進む光を照射
方向Ｄに向かって反射する。主反射鏡１１２の反射面（放電灯９０側の面）の形状は、放
電光を照射方向Ｄに向かって反射できる範囲内において、特に限定されず、例えば、回転
楕円形状であっても、回転放物線形状であってもよい。例えば、主反射鏡１１２の反射面
の形状を回転放物線形状とした場合、主反射鏡１１２は、放電光を光軸ＡＸに略平行な光
に変換することができる。これにより、平行化レンズ３０５を省略することができる。
【００３７】
副反射鏡１１３は、固定部材５２２により、放電灯９０の第２端部９０ｅ２側に固定さ
れている。副反射鏡１１３の反射面（放電灯９０側の面）の形状は、放電空間９１の第２
端部９０ｅ２側の部分を囲む球面形状である。副反射鏡１１３は、放電光のうち、主反射
鏡１１２が配置された側と反対側に向かって進む光を主反射鏡１１２に向かって反射する
。これにより、放電空間９１から放射される光の利用効率を高めることができる。
【００３８】
固定部材１１４，５２２の材料は、放電灯９０からの発熱に耐え得る耐熱材料である範
囲内において、特に限定されず、例えば、無機接着剤である。主反射鏡１１２および副反
射鏡１１３と放電灯９０との配置を固定する方法としては、主反射鏡１１２および副反射
鏡１１３を放電灯９０に固定する方法に限らず、任意の方法を採用できる。例えば、放電
灯９０と主反射鏡１１２とを、独立にプロジェクター５００の筐体（図示せず）に固定し
てもよい。副反射鏡１１３についても同様である。
【００３９】
以下、プロジェクター５００の回路構成について説明する。
図３は、本実施形態のプロジェクター５００の回路構成の一例を示す図である。プロジ
ェクター５００は、図１に示した光学系の他、画像信号変換部５１０と、直流電源装置８
０と、液晶パネル５６０Ｒ，５６０Ｇ，５６０Ｂと、画像処理装置５７０と、制御装置５
８０と、冷却装置５０と、を備えている。
【００４０】
画像信号変換部５１０は、外部から入力された画像信号５０２（輝度−色差信号やアナ
ログＲＧＢ信号など）を所定のワード長のデジタルＲＧＢ信号に変換して画像信号５１２
Ｒ，５１２Ｇ，５１２Ｂを生成し、画像処理装置５７０に供給する。
【００４１】
画像処理装置５７０は、３つの画像信号５１２Ｒ，５１２Ｇ，５１２Ｂに対してそれぞ
れ画像処理を行う。画像処理装置５７０は、液晶パネル５６０Ｒ，５６０Ｇ，５６０Ｂを
それぞれ駆動するための駆動信号５７２Ｒ，５７２Ｇ，５７２Ｂを液晶パネル５６０Ｒ，
５６０Ｇ，５６０Ｂに供給する。
【００４２】
本実施形態において画像処理装置５７０は、画像信号５１２Ｒ，５１２Ｇ，５１２Ｂの
輝度情報を調整可能である。画像処理装置５７０は、放電灯９０に供給されている駆動電
力Ｗｄの値を、電力信号５８１を介して制御装置５８０から受け取る。画像処理装置５７
０は、電力信号５８１に基づいて画像信号５１２Ｒ，５１２Ｇ，５１２Ｂの輝度情報を調
整する。本実施形態において画像処理装置５７０は、後述する電力変動駆動において、駆
動電力Ｗｄの変動に応じた放電灯９０の輝度の変化を相殺するように、輝度情報を調整す
る。
【００４３】
直流電源装置８０は、外部の交流電源６００から供給される交流電圧を一定の直流電圧
に変換する。直流電源装置８０は、トランス（図示しないが、直流電源装置８０に含まれ
る）の２次側にある画像信号変換部５１０、画像処理装置５７０およびトランスの１次側
にある放電灯点灯装置１０に直流電圧を供給する。
【００４４】
放電灯点灯装置１０は、起動時に放電灯９０の電極間に高電圧を発生し、絶縁破壊を生
じさせて放電路を形成する。以後、放電灯点灯装置１０は、放電灯９０が放電を維持する
ための駆動電流Ｉを供給する。
【００４５】
液晶パネル５６０Ｒ，５６０Ｇ，５６０Ｂは、前述した液晶ライトバルブ３３０Ｒ，３
３０Ｇ，３３０Ｂにそれぞれ備えられている。液晶パネル５６０Ｒ，５６０Ｇ，５６０Ｂ
は、それぞれ駆動信号５７２Ｒ，５７２Ｇ，５７２Ｂに基づいて、前述した光学系を介し
て各液晶パネル５６０Ｒ，５６０Ｇ，５６０Ｂに入射される色光の透過率（輝度）を変調
する。
【００４６】
冷却装置５０は、放電灯９０を冷却する。冷却装置５０は、例えば、ファンである。冷
却装置５０は、放電灯９０に供給されている駆動電力Ｗｄの値を、電力信号５８３を介し
て制御装置５８０から受け取る。本実施形態において冷却装置５０は、駆動電力Ｗｄの値
に応じて、放電灯９０を冷却する度合いを調整する。具体的には、例えば、冷却装置５０
は、駆動電力Ｗｄの値に比例して、ファンの回転数、すなわち、ファン電圧を変化させる
。ファンの出力をこのように変化させることで、駆動電力Ｗｄが変化した場合であっても
、放電灯９０の温度を一定の温度範囲内に維持できる。
【００４７】
制御装置５８０は、プロジェクター５００の点灯開始から消灯に至るまでの各種の動作
を制御する。例えば、図３の例では、通信信号５８２を介して点灯命令や消灯命令を放電
灯点灯装置１０に出力する。制御装置５８０は、放電灯点灯装置１０から通信信号５８４
を介して放電灯９０の点灯情報を受け取る。放電灯９０の点灯情報には、例えば、放電灯
９０に供給される駆動電力Ｗｄの値が含まれる。上述したように制御装置５８０は、電力
信号５８１を介して、駆動電力Ｗｄの値を画像処理装置５７０に出力する。また、制御装
置５８０は、電力信号５８３を介して、駆動電力Ｗｄの値を冷却装置５０に出力する。
【００４８】
以下、放電灯点灯装置１０の構成について説明する。
図４は、放電灯点灯装置１０の回路構成の一例を示す図である。
放電灯点灯装置１０は、図４に示すように、電力制御回路２０と、極性反転回路３０と
、制御部４０と、動作検出部６０と、イグナイター回路７０と、を備えている。
【００４９】
電力制御回路２０は、放電灯９０に供給する駆動電力Ｗｄを生成する。本実施形態にお
いては、電力制御回路２０は、直流電源装置８０からの電圧を入力とし、入力電圧を降圧
して直流電流Ｉｄを出力するダウンチョッパー回路で構成されている。
【００５０】
電力制御回路２０は、スイッチ素子２１、ダイオード２２、コイル２３およびコンデン
サー２４を含んで構成される。スイッチ素子２１は、例えば、トランジスターで構成され
る。本実施形態においては、スイッチ素子２１の一端は直流電源装置８０の正電圧側に接
続され、他端はダイオード２２のカソード端子およびコイル２３の一端に接続されている
。
【００５１】
コイル２３の他端にコンデンサー２４の一端が接続され、コンデンサー２４の他端はダ
イオード２２のアノード端子および直流電源装置８０の負電圧側に接続されている。スイ
ッチ素子２１の制御端子には、後述する制御部４０から電流制御信号が入力されてスイッ
チ素子２１のＯＮ／ＯＦＦが制御される。電流制御信号には、例えば、ＰＷＭ（Pulse Wi
dth Modulation）制御信号が用いられてもよい。
【００５２】
スイッチ素子２１がＯＮすると、コイル２３に電流が流れ、コイル２３にエネルギーが
蓄えられる。その後、スイッチ素子２１がＯＦＦすると、コイル２３に蓄えられたエネル
ギーがコンデンサー２４とダイオード２２とを通る経路で放出される。その結果、スイッ
チ素子２１がＯＮする時間の割合に応じた直流電流Ｉｄが発生する。
【００５３】
極性反転回路３０は、電力制御回路２０から入力される直流電流Ｉｄを所定のタイミン
グで極性反転させる。これにより、極性反転回路３０は、制御された時間だけ継続する直
流である駆動電流Ｉ、もしくは、任意の周波数を持つ交流である駆動電流Ｉを生成し、出
力する。本実施形態において、極性反転回路３０は、インバーターブリッジ回路（フルブ
リッジ回路）で構成されている。
【００５４】
極性反転回路３０は、例えば、トランジスターなどで構成される第１のスイッチ素子３
１、第２のスイッチ素子３２、第３のスイッチ素子３３、および第４のスイッチ素子３４
を含んでいる。極性反転回路３０は、直列接続された第１のスイッチ素子３１および第２
のスイッチ素子３２と、直列接続された第３のスイッチ素子３３および第４のスイッチ素
子３４と、が互いに並列接続された構成を有する。第１のスイッチ素子３１、第２のスイ
ッチ素子３２、第３のスイッチ素子３３、および第４のスイッチ素子３４の制御端子には
、それぞれ制御部４０から極性反転制御信号が入力される。この極性反転制御信号に基づ
いて、第１のスイッチ素子３１、第２のスイッチ素子３２、第３のスイッチ素子３３およ
び第４のスイッチ素子３４のＯＮ／ＯＦＦ動作が制御される。
【００５５】
極性反転回路３０においては、第１のスイッチ素子３１および第４のスイッチ素子３４
と、第２のスイッチ素子３２および第３のスイッチ素子３３と、を交互にＯＮ／ＯＦＦさ
せる動作が繰り返される。これにより、電力制御回路２０から出力される直流電流Ｉｄの
極性が交互に反転する。極性反転回路３０は、第１のスイッチ素子３１と第２のスイッチ
素子３２との共通接続点、および第３のスイッチ素子３３と第４のスイッチ素子３４との
共通接続点から、制御された時間だけ同一極性状態を継続する直流である駆動電流Ｉ、も
しくは制御された周波数をもつ交流である駆動電流Ｉを生成し、出力する。
【００５６】
すなわち、極性反転回路３０は、第１のスイッチ素子３１および第４のスイッチ素子３
４がＯＮのときには第２のスイッチ素子３２および第３のスイッチ素子３３がＯＦＦであ
り、第１のスイッチ素子３１および第４のスイッチ素子３４がＯＦＦのときには第２のス
イッチ素子３２および第３のスイッチ素子３３がＯＮであるように制御される。したがっ
て、第１のスイッチ素子３１および第４のスイッチ素子３４がＯＮのときには、コンデン
サー２４の一端から第１のスイッチ素子３１、放電灯９０、第４のスイッチ素子３４の順
に流れる駆動電流Ｉが発生する。第２のスイッチ素子３２および第３のスイッチ素子３３
がＯＮのときには、コンデンサー２４の一端から第３のスイッチ素子３３、放電灯９０、
第２のスイッチ素子３２の順に流れる駆動電流Ｉが発生する。
【００５７】
本実施形態において、電力制御回路２０と極性反転回路３０とを合わせた部分が放電灯
駆動部２３０に対応する。すなわち、放電灯駆動部２３０は、放電灯９０を駆動する駆動
電流Ｉ（駆動電力Ｗｄ）を放電灯９０に供給する。
【００５８】
制御部４０は、放電灯駆動部２３０を制御する。図４の例では、制御部４０は、電力制
御回路２０および極性反転回路３０を制御することにより、駆動電流Ｉが同一極性を継続
する保持時間、駆動電力Ｗｄの電力値（駆動電流Ｉの電流値）、周波数等のパラメーター
を制御する。制御部４０は、極性反転回路３０に対して、駆動電流Ｉの極性反転タイミン
グにより、駆動電流Ｉが同一極性で継続する保持時間、駆動電流Ｉの周波数等を制御する
極性反転制御を行う。制御部４０は、電力制御回路２０に対して、出力される直流電流Ｉ
ｄの電流値を制御する電流制御を行う。
【００５９】
制御部４０は、放電灯９０に供給される駆動電力Ｗｄを周期的に変動させる電力変動駆
動を実行可能である。制御部４０は、電力変動駆動において、後述する動作検出部６０の
電圧検出部によって検出されたランプ電圧Ｖｌａ（第１電極間電圧）に基づいて、駆動電
力Ｗｄが所定値以上となる高電力期間の割合を変化させる。詳細については、後述する。
【００６０】
制御部４０の構成は、特に限定されない。本実施形態においては、制御部４０は、シス
テムコントローラー４１、電力制御回路コントローラー４２、および極性反転回路コント
ローラー４３を含んで構成されている。なお、制御部４０は、その一部または全てを半導
体集積回路で構成してもよい。
【００６１】
システムコントローラー４１は、電力制御回路コントローラー４２および極性反転回路
コントローラー４３を制御することにより、電力制御回路２０および極性反転回路３０を
制御する。システムコントローラー４１は、動作検出部６０が検出したランプ電圧（電極
間電圧）Ｖｌａおよび駆動電流Ｉに基づき、電力制御回路コントローラー４２および極性
反転回路コントローラー４３を制御してもよい。
【００６２】
本実施形態においては、システムコントローラー４１には、記憶部４４が接続されてい
る。
システムコントローラー４１は、記憶部４４に格納された情報に基づき、電力制御回路
２０および極性反転回路３０を制御してもよい。記憶部４４には、例えば、駆動電流Ｉが
同一極性で継続する保持時間、駆動電流Ｉの電流値、基本周波数、波形、変調パターン等
の駆動パラメーターに関する情報が格納されていてもよい。基本周波数とは、定常点灯モ
ードにおいて、放電灯９０に供給される駆動電流Ｉの周波数である。
【００６３】
本実施形態において記憶部４４には、例えば、電力変動駆動における駆動電力Ｗｄの振
幅および周波数、電力変動駆動において高電力期間の割合を変化させる際に用いるランプ
電圧Ｖｌａの閾値が格納されている。また、本実施形態において記憶部４４には、電力変
動駆動において計測されたランプ電圧Ｖｌａの値が記憶される。
【００６４】
電力制御回路コントローラー４２は、システムコントローラー４１からの制御信号に基
づき、電力制御回路２０へ電流制御信号を出力することにより、電力制御回路２０を制御
する。
【００６５】
極性反転回路コントローラー４３は、システムコントローラー４１からの制御信号に基
づき、極性反転回路３０へ極性反転制御信号を出力することにより、極性反転回路３０を
制御する。
【００６６】
図５は、制御部４０の他の構成例について説明するための図である。図５に示すように
、制御部４０は、制御プログラムにより、電力制御回路２０を制御する電流制御手段４０
−１、極性反転回路３０を制御する極性反転制御手段４０−２として機能するように構成
されてもよい。
【００６７】
図４に示した例では、制御部４０は、放電灯点灯装置１０の一部として構成されている
。これに対して、制御部４０の機能の一部を制御装置５８０が担うように構成されていて
もよい。
【００６８】
動作検出部６０は、放電灯９０のランプ電圧Ｖｌａを検出して制御部４０にランプ電圧
情報を出力する電圧検出部を含む。また、動作検出部６０は、駆動電流Ｉを検出して制御
部４０に駆動電流情報を出力する電流検出部などを含んでいてもよい。本実施形態におい
ては、動作検出部６０は、第１の抵抗６１、第２の抵抗６２および第３の抵抗６３を含ん
で構成されている。
【００６９】
本実施形態において、動作検出部６０の電圧検出部は、放電灯９０と並列に、互いに直
列接続された第１の抵抗６１および第２の抵抗６２で分圧した電圧によりランプ電圧Ｖｌ
ａを検出する。また、本実施形態において、電流検出部は、放電灯９０に直列に接続され
た第３の抵抗６３に発生する電圧により駆動電流Ｉを検出する。
【００７０】
イグナイター回路７０は、放電灯９０の点灯開始時にのみ動作する。イグナイター回路
７０は、放電灯９０の点灯開始時に放電灯９０の電極間（第１電極９２と第２電極９３と
の間）を絶縁破壊して放電路を形成するために必要な高電圧（放電灯９０の通常点灯時よ
りも高い電圧）を、放電灯９０の電極間（第１電極９２と第２電極９３との間）に供給す
る。本実施形態においては、イグナイター回路７０は、放電灯９０と並列に接続されてい
る。
【００７１】
図６（Ａ），（Ｂ）には、第１電極９２および第２電極９３の先端部分が示されている
。第１電極９２および第２電極９３の先端にはそれぞれ突起５５２ｐ，５６２ｐが形成さ
れている。
【００７２】
第１電極９２と第２電極９３の間で生じる放電は、主として突起５５２ｐと突起５６２
ｐとの間で生じる。本実施形態のように突起５５２ｐ，５６２ｐがある場合には、突起が
無い場合と比べて、第１電極９２および第２電極９３における放電位置（アーク位置）の
移動を抑えることができる。
【００７３】
図６（Ａ）は、第１電極９２が陽極として動作し、第２電極９３が陰極として動作する
第１極性状態を示している。第１極性状態では、放電により、第２電極９３（陰極）から
第１電極９２（陽極）へ電子が移動する。陰極（第２電極９３）からは電子が放出される
。陰極（第２電極９３）から放出された電子は陽極（第１電極９２）の先端に衝突する。
この衝突によって熱が生じ、陽極（第１電極９２）の先端（突起５５２ｐ）の温度が上昇
する。
【００７４】
図６（Ｂ）は、第１電極９２が陰極として動作し、第２電極９３が陽極として動作する
第２極性状態を示している。第２極性状態では、第１極性状態とは逆に、第１電極９２か
ら第２電極９３へ電子が移動する。その結果、第２電極９３の先端（突起５６２ｐ）の温
度が上昇する。
【００７５】
このように、放電灯９０に駆動電流Ｉが供給されることで、電子が衝突する陽極の温度
は上昇する。一方、電子を放出する陰極は、陽極に向けて電子を放出している間、温度は
低下する。
【００７６】
第１電極９２と第２電極９３との電極間距離は、突起５５２ｐ，５６２ｐの劣化ととも
に大きくなる。突起５５２ｐ，５６２ｐが損耗するためである。電極間距離が大きくなる
と、第１電極９２と第２電極９３との間の抵抗が大きくなるため、ランプ電圧Ｖｌａが大
きくなる。したがって、ランプ電圧Ｖｌａを参照することによって、電極間距離の変化、
すなわち、放電灯９０の劣化度合いを検出することができる。
【００７７】
なお、第１電極９２と第２電極９３とは、同様の構成であるため、以下の説明において
は、代表して第１電極９２についてのみ説明する場合がある。また、第１電極９２の先端
の突起５５２ｐと第２電極９３の先端の突起５６２ｐとは、同様の構成であるため、以下
の説明においては、代表して突起５５２ｐについてのみ説明する場合がある。
【００７８】
以下、本実施形態の制御部４０による放電灯駆動部２３０の制御について説明する。本
実施形態においては、制御部４０が電力変動駆動を常時実行する場合について説明する。
【００７９】
図７（Ａ）〜（Ｃ）は、電力変動駆動における駆動電力Ｗｄの変化を示すグラフである
。図７（Ａ）〜（Ｃ）において縦軸は、駆動電力Ｗｄを示しており、横軸は、時間Ｔを示
している。
【００８０】
図７（Ａ）〜（Ｃ）に示すように、電力変動駆動は、放電灯９０に供給される駆動電力
Ｗｄを周期的に変動させる駆動である。図７（Ａ）には、第１駆動電力波形ＤＷ１１が示
されている。図７（Ｂ）には、第２駆動電力波形ＤＷ１２が示されている。図７（Ｃ）に
は、第３駆動電力波形ＤＷ１３が示されている。
【００８１】
第１駆動電力波形ＤＷ１１の振幅と、第２駆動電力波形ＤＷ１２の振幅と、第３駆動電
力波形ＤＷ１３の振幅とは、例えば、互いに同じである。第１駆動電力波形ＤＷ１１、第
２駆動電力波形ＤＷ１２、および第３駆動電力波形ＤＷ１３は、例えば、定格電力Ｗｄｒ
と設定電力Ｗｄｓとの間で周期的に変化する。すなわち、図７（Ａ）〜（Ｃ）の例では、
電力変動駆動における駆動電力Ｗｄの最大値は、定格電力Ｗｄｒであり、電力変動駆動に
おける駆動電力Ｗｄの最小値は、設定電力Ｗｄｓである。設定電力Ｗｄｓは、設定されて
いる点灯モードにおける駆動電力Ｗｄである。本実施形態において設定電力Ｗｄｓは、定
格電力Ｗｄｒよりも小さい。
【００８２】
図７（Ａ）に示すように、第１駆動電力波形ＤＷ１１は、滑らかな曲線である。第１駆
動電力波形ＤＷ１１の１周期は、駆動電力Ｗｄが中間電力（所定電力）Ｗｄｍ以上となる
高電力期間（期間）Ｐ１１と、駆動電力Ｗｄが中間電力Ｗｄｍよりも小さくなる低電力期
間Ｐ１２と、からなる。
【００８３】
ここで、中間電力Ｗｄｍは、定格電力Ｗｄｒと設定電力Ｗｄｓとの中間の電力である。
すなわち、中間電力Ｗｄｍの値は、電力変動駆動における駆動電力Ｗｄの最大値と最小値
との中間の値である。
【００８４】
図７（Ａ）の例では、第１駆動電力波形ＤＷ１１の１周期を、駆動電力Ｗｄが最小値と
なるときから、次に駆動電力Ｗｄが最小値となるときまでとしている。すなわち、図７（
Ａ）の例では、例えば、駆動電力Ｗｄが設定電力Ｗｄｓとなる時刻Ｔ１から、駆動電力Ｗ
ｄが次に設定電力Ｗｄｓとなる時刻Ｔ２まで、および時刻Ｔ２から、駆動電力Ｗｄが次に
設定電力Ｗｄｓとなる時刻Ｔ３までをそれぞれ１周期としている。図７（Ｂ），（Ｃ）に
ついても同様である。
【００８５】
低電力期間Ｐ１２は、第１低電力期間Ｐ１２ａと、第２低電力期間Ｐ１２ｂと、を含む
。第１低電力期間Ｐ１２ａは、駆動電力Ｗｄが設定電力Ｗｄｓから中間電力Ｗｄｍに上昇
する期間である。第２低電力期間Ｐ１２ｂは、駆動電力Ｗｄが中間電力Ｗｄｍから設定電
力Ｗｄｓに下降する期間である。
【００８６】
第１駆動電力波形ＤＷ１１において、１周期における高電力期間Ｐ１１の割合は、１周
期における低電力期間Ｐ１２の割合よりも小さい。すなわち、高電力期間Ｐ１１の長さｔ
１１は、第１低電力期間Ｐ１２ａの長さｔ１２ａと第２低電力期間Ｐ１２ｂの長さｔ１２
ｂとを足し合わせた長さよりも小さい。
【００８７】
図７（Ｂ）に示すように、第２駆動電力波形ＤＷ１２は、滑らかな曲線である。図７（
Ｂ）の例では、第２駆動電力波形ＤＷ１２は、例えば、正弦波状である。第２駆動電力波
形ＤＷ１２の１周期は、駆動電力Ｗｄが中間電力Ｗｄｍ以上となる高電力期間（期間）Ｐ
１３と、駆動電力Ｗｄが中間電力Ｗｄｍよりも小さくなる低電力期間Ｐ１４と、からなる
。低電力期間Ｐ１４は、駆動電力Ｗｄが設定電力Ｗｄｓから中間電力Ｗｄｍに上昇する第
１低電力期間Ｐ１４ａと、駆動電力Ｗｄが中間電力Ｗｄｍから設定電力Ｗｄｓに下降する
第２低電力期間Ｐ１４ｂと、を含む。
【００８８】
第２駆動電力波形ＤＷ１２において、１周期における高電力期間Ｐ１３の割合は、１周
期における低電力期間Ｐ１４の割合と同じである。すなわち、高電力期間Ｐ１３の長さｔ
１３は、第１低電力期間Ｐ１４ａの長さｔ１４ａと第２低電力期間Ｐ１４ｂの長さｔ１４
ｂとを足し合わせた長さと同じである。
【００８９】
図７（Ｃ）に示すように、第３駆動電力波形ＤＷ１３は、滑らかな曲線である。第３駆
動電力波形ＤＷ１３の１周期は、駆動電力Ｗｄが中間電力Ｗｄｍ以上となる高電力期間（
期間）Ｐ１５と、駆動電力Ｗｄが中間電力Ｗｄｍよりも小さくなる低電力期間Ｐ１６と、
からなる。低電力期間Ｐ１６は、駆動電力Ｗｄが設定電力Ｗｄｓから中間電力Ｗｄｍに上
昇する第１低電力期間Ｐ１６ａと、駆動電力Ｗｄが中間電力Ｗｄｍから設定電力Ｗｄｓに
下降する第２低電力期間Ｐ１６ｂと、を含む。
【００９０】
第３駆動電力波形ＤＷ１３において、１周期における高電力期間Ｐ１５の割合は、１周
期における低電力期間Ｐ１６の割合よりも大きい。すなわち、高電力期間Ｐ１５の長さｔ
１５は、第１低電力期間Ｐ１６ａの長さｔ１６ａと第２低電力期間Ｐ１６ｂの長さｔ１６
ｂとを足し合わせた長さよりも大きい。
【００９１】
第１駆動電力波形ＤＷ１１の高電力期間Ｐ１１の長さｔ１１と、第２駆動電力波形ＤＷ
１２の高電力期間Ｐ１３の長さｔ１３と、第３駆動電力波形ＤＷ１３の高電力期間Ｐ１５
の長さｔ１５とは、この順に大きくなる。すなわち、各駆動電力波形の周期ｔ１に対する
、高電力期間Ｐ１１の長さｔ１１の割合と、高電力期間Ｐ１３の長さｔ１３の割合と、高
電力期間Ｐ１５の長さｔ１５の割合とは、この順に大きくなる。
【００９２】
第２駆動電力波形ＤＷ１２における平均駆動電力は、第１駆動電力波形ＤＷ１１におけ
る平均駆動電力よりも大きい。第３駆動電力波形ＤＷ１３における平均駆動電力は、第２
駆動電力波形ＤＷ１２における平均駆動電力よりも大きい。
【００９３】
第１駆動電力波形ＤＷ１１の周波数と、第２駆動電力波形ＤＷ１２の周波数と、第３駆
動電力波形ＤＷ１３の周波数とは、例えば、互いに同じである。本実施形態において駆動
電力Ｗｄの周波数は、駆動電力Ｗｄの周期ｔ１が、例えば、２時間以下となるように設定
される。このように設定されることで、プロジェクター５００の一度の使用時に駆動電力
Ｗｄの変動が一周しやすい。そのため、プロジェクター５００の一度の使用時に、駆動電
力Ｗｄが大きい状態と駆動電力Ｗｄが小さい状態とが生じるため、放電灯９０の第１電極
９２に好適に刺激を与えやすい。これにより、放電灯９０の寿命を向上することができる
。
【００９４】
また、本実施形態において駆動電力Ｗｄの周波数は、例えば、駆動電力Ｗｄの変化の速
さが４．０Ｗ／ｓ以下に制御される。このように制御することで、駆動電力Ｗｄを変動さ
せたことによる放電灯９０の輝度の変化を、使用者に認識させにくくできる。
【００９５】
駆動電力Ｗｄの周波数は、例えば、駆動電力Ｗｄの周期ｔ１が６分以上、１５分以下程
度に設定される。言い換えれば、駆動電力Ｗｄの周波数は、例えば、約０．００１Ｈｚ以
上、０．００６Ｈｚ以下程度に設定される。
【００９６】
駆動電力Ｗｄが大きいほど放電灯９０の輝度は高くなり、駆動電力Ｗｄが小さいほど放
電灯９０の輝度は低くなる。本実施形態においては、上述したように、画像処理装置５７
０は、電力変動駆動において、駆動電力Ｗｄの変動に応じた放電灯９０の輝度の変化を相
殺するように、輝度情報を調整する。すなわち、図７（Ａ）〜（Ｃ）の例では、画像処理
装置５７０は、例えば、駆動電力Ｗｄが設定電力Ｗｄｓよりも大きい場合に、設定電力Ｗ
ｄｓにおける放電灯９０の輝度との差を相殺するように、画像信号５１２Ｒ，５１２Ｇ，
５１２Ｂの輝度情報を低く設定する。
【００９７】
図８は、本実施形態の電力変動駆動における制御部４０の制御手順の一例を示すフロー
チャートである。
図８に示すように、制御部４０は、電力変動駆動における所定の測定タイミングにおい
てランプ電圧Ｖｌａ（第１電極間電圧）を測定する（ステップＳ１１）。ランプ電圧Ｖｌ
ａの測定は、動作検出部６０の電圧検出部によって行う。
【００９８】
本実施形態において、所定の測定タイミングとは、電力変動駆動において駆動電力Ｗｄ
の値が最小となるタイミングである。すなわち、動作検出部６０の電圧検出部は、電力変
動駆動において、駆動電力Ｗｄが最小となるときにランプ電圧Ｖｌａを検出する。図７（
Ａ）〜（Ｃ）の例では、測定タイミングは、駆動電力Ｗｄが最小値である設定電力Ｗｄｓ
になるタイミング、すなわち、時刻Ｔ１，Ｔ２，Ｔ３である。
【００９９】
図８に示すように、制御部４０は、測定したランプ電圧Ｖｌａが、閾値以上か否かを判
断する（ステップＳ１２）。そして、制御部４０は、測定したランプ電圧Ｖｌａが閾値以
上の場合（ステップＳ１２：ＹＥＳ）、駆動電力波形における高電力期間の割合を大きく
する（ステップＳ１３）。
【０１００】
具体的には、例えば、現在の駆動電力波形が図７（Ａ）に示す第１駆動電力波形ＤＷ１
１の場合、制御部４０は、駆動電力波形を図７（Ｂ）の第２駆動電力波形ＤＷ１２にして
、高電力期間の割合を大きくする。
【０１０１】
一方、制御部４０は、測定したランプ電圧Ｖｌａが閾値よりも小さい場合（ステップＳ
１２：ＮＯ）、次の測定タイミングまで、現在の駆動電力波形を維持する（ステップＳ１
７）。すなわち、制御部４０は、ランプ電圧Ｖｌａ（第１電極間電圧）が閾値よりも小さ
い場合、高電力期間の割合を維持する。
【０１０２】
ランプ電圧Ｖｌａの閾値は、例えば、初期ランプ電圧の値から＋５Ｖ程度に設定される
。ランプ電圧Ｖｌａの閾値は、例えば、放電灯９０ごとに実験的に設定される。また、ス
テップＳ１３における高電力期間の割合の増加幅は、例えば、実験的に求められる。高電
力期間の割合の増加幅は、一定であってもよいし、変化してもよい。高電力期間の割合を
大きくする処理は、例えば、予め記憶部４４に記憶されたテーブルを参照することによっ
て行ってもよいし、予め記憶部４４に記憶された計算式から算出することによって行って
もよい。
【０１０３】
制御部４０は、高電力期間の割合を大きくした後、測定したランプ電圧Ｖｌａを記憶部
４４に記憶させる（ステップＳ１４）。そして、制御部４０は、次の測定タイミングまで
、高電力期間の割合を大きくした駆動電力波形、すなわち、例えば、第２駆動電力波形Ｄ
Ｗ１２に基づいて駆動電力Ｗｄを変動させる。
【０１０４】
次に、制御部４０は、ステップＳ１１における測定タイミングの次の測定タイミングに
おいて、ランプ電圧Ｖｌａを測定する（ステップＳ１５）。そして、制御部４０は、測定
したランプ電圧Ｖｌａ（第２電極間電圧）が、ステップＳ１４において記憶されたランプ
電圧Ｖｌａ（第１電極間電圧）よりも小さいか否かを判断する（ステップＳ１６）。
【０１０５】
制御部４０は、測定したランプ電圧Ｖｌａが記憶されているランプ電圧Ｖｌａ以上であ
る場合（ステップＳ１６：ＮＯ）、ステップＳ１３に戻り、再び高電力期間の割合を大き
くする。すなわち、制御部４０は、測定したランプ電圧Ｖｌａが記憶されているランプ電
圧Ｖｌａ以上である場合、高電力期間の割合をさらに大きくする。具体的には、制御部４
０は、例えば、駆動電力波形を図７（Ｂ）に示す第２駆動電力波形ＤＷ１２から、図７（
Ｃ）に示す第３駆動電力波形ＤＷ１３にする。
【０１０６】
制御部４０は、測定したランプ電圧Ｖｌａが、記憶されているランプ電圧Ｖｌａよりも
小さい場合（ステップＳ１６：ＹＥＳ）、次の測定タイミングまで現在の駆動電力波形を
維持する（ステップＳ１７）。そして、ステップＳ１１に戻り、次の測定タイミングで上
記と同様の処理を行う。
【０１０７】
以上のようにして、本実施形態において制御部４０は、電力変動駆動において、ランプ
電圧Ｖｌａに基づいて高電力期間の割合を増加させつつ、駆動電力Ｗｄを変動させる。
【０１０８】
上述した制御部４０による制御は、放電灯駆動方法として表すこともできる。すなわち
、本実施形態の放電灯駆動方法は、放電灯９０に駆動電力Ｗｄを供給して、放電灯９０を
駆動する放電灯駆動方法であって、放電灯９０に供給される駆動電力Ｗｄを周期的に変動
させる電力変動駆動を含み、電力変動駆動において、放電灯９０のランプ電圧Ｖｌａ（第
１電極間電圧）が閾値以上の場合、駆動電力Ｗｄが中間電力Ｗｄｍ以上となる高電力期間
の割合を大きくすることを特徴とする。
【０１０９】
本実施形態によれば、制御部４０が電力変動駆動において、ランプ電圧Ｖｌａが閾値以
上の場合、高電力期間の割合を大きくする。そのため、放電灯９０が劣化してランプ電圧
Ｖｌａが高くなった場合に、高電力期間の割合を大きくすることで、第１電極９２に加え
られる熱負荷を大きくでき、第１電極９２の突起５５２ｐの成長を促すことができる。し
たがって、本実施形態によれば、放電灯９０の寿命を向上できる。
【０１１０】
また、本実施形態によれば、高電力期間は、駆動電力Ｗｄが中間電力Ｗｄｍ以上となる
期間である。中間電力Ｗｄｍの値は、電力変動駆動における駆動電力Ｗｄの最大値と最小
値との中間の値である。そのため、高電力期間の割合を大きくすることで、第１電極９２
に加えられる熱負荷をより大きくしやすい。
【０１１１】
また、本実施形態によれば、制御部４０は、高電力期間の割合を大きくした後に計測し
たランプ電圧Ｖｌａ（第２電極間電圧）が、高電力期間の割合を大きくする前に計測され
たランプ電圧Ｖｌａ（第１電極間電圧）以上の場合、高電力期間の割合をさらに大きくす
る。すなわち、制御部４０は、ステップＳ１３において高電力期間の割合を大きくしても
第１電極９２の突起５５２ｐを十分に成長できない場合、さらに高電力期間の割合を大き
くして第１電極９２に加えられる刺激を大きくする。これにより、放電灯９０の劣化が進
行して第１電極９２の突起５５２ｐが成長しにくい場合であっても、突起５５２ｐを成長
させることができる。したがって、本実施形態によれば、放電灯９０の寿命をより向上で
きる。
【０１１２】
また、例えば、本実施形態のように駆動電力Ｗｄを周期的に変動させる場合には、駆動
電力Ｗｄの大きさによってランプ電圧Ｖｌａの大きさが変動する。そのため、いつの時点
でのランプ電圧Ｖｌａを基準にするかによって、ランプ電圧Ｖｌａに対する評価が変動し
、適切に放電灯９０の劣化状態を判断できない場合ある。これにより、適切に高電力期間
の割合を変化させることができない場合がある。
【０１１３】
これに対して、本実施形態によれば、電圧検出部は、電力変動駆動において、駆動電力
Ｗｄが最小となるときにランプ電圧Ｖｌａを検出する。そのため、常に駆動電力Ｗｄが最
小となる時点を基準として、ランプ電圧Ｖｌａの評価を行うことができ、放電灯９０の劣
化状態を正確に判断しやすい。これにより、本実施形態によれば、高電力期間の割合を適
切なタイミングで変化させることができ、結果として、放電灯９０の寿命を向上できる。
【０１１４】
また、駆動電力Ｗｄが最小となるときは、第１電極９２に加えられる熱負荷が最も低い
。そのため、第１電極９２と第２電極９３との電極間距離が最も大きく、ランプ電圧Ｖｌ
ａは最も大きくなる。これにより、本実施形態によれば、ランプ電圧Ｖｌａの変化、すな
わち、放電灯９０の劣化状態をより正確に判断しやすい。
【０１１５】
また、本実施形態によれば、制御部４０は、ランプ電圧Ｖｌａが閾値よりも小さい場合
、高電力期間の割合を維持するため、高電力期間の割合を適切に変化させることができる
。
【０１１６】
また、本実施形態によれば、画像処理装置５７０は、駆動電力Ｗｄの変動に応じた放電
灯９０の輝度の変化を相殺するように、画像信号５１２Ｒ，５１２Ｇ，５１２Ｂの輝度情
報を調整する。これにより、駆動電力Ｗｄが変動する電力変動駆動において、プロジェク
ター５００から射出される画像の輝度が、駆動電力Ｗｄに応じて変化することを抑制でき
る。
【０１１７】
また、例えば、上述したように、画像処理装置５７０を用いて輝度情報を調整する場合
であっても、駆動電力Ｗｄの変化の速さが大きい場合には、プロジェクター５００から射
出される画像の輝度の変化が使用者に認識される虞がある。
【０１１８】
これに対して、本実施形態によれば、制御部４０は、駆動電力Ｗｄの変化の速さを４．
０Ｗ／ｓ以下に制御する。駆動電力Ｗｄの変化の速さが４．０Ｗ／ｓ以下であると、使用
者は画像の輝度変化を認識しにくい。そのため、本実施形態によれば、駆動電力Ｗｄを変
動させる電力変動駆動において、使用者が画像の輝度の変化を認識することを抑制できる
。
【０１１９】
また、例えば、定格電力Ｗｄｒよりも低い低電力を放電灯９０に供給して、放電灯９０
を駆動する低電力モードの場合、第１電極９２に加えられる熱負荷が小さい。そのため、
第１電極９２の突起５５２ｐが小さくなりやすく、定格電力Ｗｄｒで放電灯９０を駆動す
る場合に比べて、放電灯９０の第１電極９２の形状を維持することが特に困難である。し
たがって、本実施形態における放電灯９０の寿命を向上させる効果は、このような低電力
モードにおいて特に高く得られる。
【０１２０】
なお、本実施形態においては、以下の構成および方法を採用してもよい。
【０１２１】
本実施形態においては、ランプ電圧Ｖｌａの閾値は、複数設定されていてもよい。この
場合、例えば、放電灯９０の劣化に応じて閾値を大きくしてもよい。
【０１２２】
また、本実施形態においては、図９に示すように、測定タイミングごとにランプ電圧Ｖ
ｌａを記憶し、測定タイミング間におけるランプ電圧Ｖｌａの変化量に基づいて高電力期
間の割合を変化させてもよい。以下、詳細に説明する。
【０１２３】
図９は、本実施形態の電力変動駆動における制御部４０の制御手順の他の一例を示すフ
ローチャートである。
図９に示すように、制御部４０は、測定タイミングにおいてランプ電圧Ｖｌａを測定し
た（ステップＳ２１）後、記憶部４４を参照して、前回の測定タイミングにおけるランプ
電圧Ｖｌａが記憶されているか否かを判断する（ステップＳ２２）。放電灯９０を初めて
点灯した後、初めて測定タイミングを迎えた場合には、記憶部４４には、測定タイミング
におけるランプ電圧Ｖｌａが記憶されていない（ステップＳ２２：ＮＯ）。この場合、制
御部４０は、測定したランプ電圧Ｖｌａを記憶部４４に記憶して（ステップＳ２３）、次
の測定タイミングまで、現在の駆動電力波形を維持する（ステップＳ２４）。
【０１２４】
一方、２回目以降の測定タイミングでは、記憶部４４には前回の測定タイミングにおけ
るランプ電圧Ｖｌａが記憶されている（ステップＳ２２：ＹＥＳ）。この場合、制御部４
０は、測定したランプ電圧Ｖｌａと、記憶されている前回の測定タイミングにおけるラン
プ電圧Ｖｌａとの差が、所定値以上か否かを判断する（ステップＳ２５）。
【０１２５】
測定したランプ電圧Ｖｌａと前回のランプ電圧Ｖｌａとの差が所定値以上である場合に
は、制御部４０は、図８に示すフローチャートと同様にして、高電力期間の割合を大きく
する処理を行う（ステップＳ２６〜ステップＳ２９）。図９のステップＳ２６からステッ
プＳ２９は、図８のステップＳ１３からステップＳ１６と同様である。ステップＳ２９に
おいて測定したランプ電圧Ｖｌａが記憶されたランプ電圧Ｖｌａよりも小さい場合には、
制御部４０は、測定したランプ電圧Ｖｌａを記憶部４４に記憶して（ステップＳ２３）、
次の測定タイミングまで、現在の駆動電力波形を維持する（ステップＳ２４）。
【０１２６】
一方、ステップＳ２５において、測定したランプ電圧Ｖｌａと前回のランプ電圧Ｖｌａ
との差が所定値よりも小さい場合（ステップＳ２５：ＮＯ）には、制御部４０は、測定し
たランプ電圧Ｖｌａを記憶部４４に記憶して（ステップＳ２３）、次の測定タイミングま
で、現在の駆動電力波形を維持する（ステップＳ２４）。
【０１２７】
この構成によれば、時間的に隣り合う測定タイミング間におけるランプ電圧Ｖｌａの変
化量に基づいて高電力期間の割合を変化させる。そのため、ランプ電圧Ｖｌａが上昇し始
めたタイミング、すなわち、放電灯９０が劣化し始めたタイミングをより早く検出するこ
とができる。これにより、放電灯９０の劣化に対して迅速に対処することが可能となり、
結果として、放電灯９０の寿命を向上できる。
【０１２８】
なお、この構成において前回の測定タイミングのランプ電圧Ｖｌａに対して所定値を足
し合わせた値は、ランプ電圧Ｖｌａの閾値に相当する。
【０１２９】
また、上記説明においては、電力変動駆動において、高電力期間の割合を大きくするこ
とについてのみ説明したが、これに限られない。本実施形態においては、例えば、ステッ
プＳ１３において駆動電力波形を第１駆動電力波形ＤＷ１１から第２駆動電力波形ＤＷ１
２に変化させた後に、ランプ電圧Ｖｌａが閾値よりも小さくなった場合には、駆動電力波
形を第１駆動電力波形ＤＷ１１に戻してもよい。すなわち、本実施形態において制御部４
０は、高電力期間の割合を大きくした後にランプ電圧Ｖｌａ（第２電極間電圧）が、閾値
よりも小さい場合、高電力期間の割合を小さくしてもよい。
【０１３０】
この構成によれば、ランプ電圧Ｖｌａに応じて、電力変動駆動における第１電極９２お
よび第２電極９３に加えられる熱負荷を適切に変化させることができるため、放電灯９０
の寿命をより向上できる。
【０１３１】
また、上記説明においては、駆動電力波形が、３つの駆動電力波形、すなわち、第１駆
動電力波形ＤＷ１１、第２駆動電力波形ＤＷ１２、および第３駆動電力波形ＤＷ１３の間
で変化する例について示したが、これに限られない。本実施形態においては、駆動電力波
形は、例えば、２つの駆動電力波形の間で変化してもよいし、４つ以上の駆動電力波形の
間で変化してもよい。駆動電力波形が２つの駆動電力波形の間で変化する場合、ランプ電
圧Ｖｌａが、閾値以上か、閾値よりも小さいかに応じて、２つの駆動電力波形のうち一方
を選択することができる。
【０１３２】
また、上記説明においては、電力変動駆動は、常に実行されるものとしたが、これに限
られない。本実施形態においては、電力変動駆動は、所定条件に基づいて実行されてもよ
い。本実施形態においては、例えば、ランプ電圧Ｖｌａがある値を超えた際に、制御部４
０が電力変動駆動を実行してもよい。この場合において、電力変動駆動を実行して、ラン
プ電圧Ｖｌａがある値以下となった場合には、制御部４０は、電力変動駆動の実行を停止
してもよい。電力変動駆動が実行されない期間においては、例えば、駆動電力Ｗｄは設定
電力Ｗｄｓに一定に維持される。
【０１３３】
また、本実施形態においては、放電灯９０から射出される光の光量を調整する絞りを備
えてもよい。絞りは、例えば、光源装置２００と平行化レンズ３０５との間の光路上に配
置される。絞りは、光源装置２００、すなわち放電灯９０から射出される光の一部を遮断
できる。
【０１３４】
この構成においては、駆動電力Ｗｄの変動による画像の輝度変化を、画像処理装置５７
０によらず、絞りを用いて相殺してもよい。すなわち、絞りは、電力変動駆動において、
駆動電力Ｗｄの変動に応じた放電灯９０の輝度の変化を相殺するように、放電灯９０から
射出される光の光量を調整してもよい。これにより、プロジェクター５００から投射され
る画像の輝度が変化することを抑制できる。
【０１３５】
また、本実施形態においては、ランプ電圧Ｖｌａの値の範囲に応じて、駆動電力波形を
選択する構成としてもよい。
図１０は、本実施形態の電力変動駆動における制御部４０の制御手順の一例を示すフロ
ーチャートである。
【０１３６】
図１０に示すように、制御部４０は、測定タイミングにおいてランプ電圧Ｖｌａを測定
した（ステップＳ３１）後、測定したランプ電圧Ｖｌａが第１閾値以上か否かを判断する
（ステップＳ３２）。測定したランプ電圧Ｖｌａが第１閾値よりも小さい場合（ステップ
Ｓ３２：ＮＯ）には、制御部４０は、駆動電力波形を第１駆動電力波形ＤＷ１１に設定す
る（ステップＳ３３）。
【０１３７】
測定したランプ電圧Ｖｌａが第１閾値以上である場合（ステップＳ３２：ＹＥＳ）、制
御部４０は、測定したランプ電圧Ｖｌａが第２閾値以上か否かを判断する（ステップＳ３
４）。ここで、第２閾値は、第１閾値よりも大きい。測定したランプ電圧Ｖｌａが第２閾
値よりも小さい場合（ステップＳ３４：ＮＯ）には、制御部４０は、駆動電力波形を第２
駆動電力波形ＤＷ１２に設定する（ステップＳ３５）。一方、測定したランプ電圧Ｖｌａ
が第２閾値以上である場合（ステップＳ３４：ＹＥＳ）、制御部４０は、駆動電力波形を
第３駆動電力波形ＤＷ１３に設定する（ステップＳ３６）。
【０１３８】
以上のように、制御部４０は、ランプ電圧Ｖｌａが第１閾値よりも小さい値であれば、
駆動電力波形を第１駆動電力波形ＤＷ１１に設定する。制御部４０は、ランプ電圧Ｖｌａ
が第１閾値以上で、かつ、第２閾値よりも小さい値であれば、駆動電力波形を第２駆動電
力波形ＤＷ１２に設定する。制御部４０は、ランプ電圧Ｖｌａが第３閾値以上の値であれ
ば、駆動電力波形を第３駆動電力波形ＤＷ１３に設定する。
【０１３９】
例えば、この構成において駆動電力波形が第２駆動電力波形ＤＷ１２である場合、制御
部４０は、ランプ電圧Ｖｌａが第１閾値よりも小さい値である場合には、高電力期間の割
合を小さくし、ランプ電圧Ｖｌａが第２閾値以上の値である場合には、高電力期間の割合
を大きくする。
【０１４０】
この構成によれば、ランプ電圧Ｖｌａの範囲に応じて、適切な駆動電力波形を選択でき
るため、放電灯９０の寿命をより向上できる。
【０１４１】
また、上記説明においては、測定タイミングは、駆動電力Ｗｄが最小となるタイミング
としたが、これに限られない。本実施形態においては、測定タイミングは、どのタイミン
グであってもよい。本実施形態においては、測定タイミングは、例えば、駆動電力Ｗｄが
最大となるタイミングであってもよい。
【０１４２】
また、本実施形態においては、測定タイミングは、駆動電力Ｗｄが最小となるタイミン
グのうちの一部のタイミングとしてもよい。すなわち、本実施形態においては、次の測定
タイミングが、数回後に駆動電力Ｗｄが最小となるタイミングであってもよい。
【０１４３】
また、本実施形態においては、測定タイミングは、一度のプロジェクター５００の使用
時に、一度だけ設けられていてもよい。この場合、測定タイミングは、例えば、放電灯９
０を点灯した直後に設けられる構成としてもよい。
【０１４４】
また、本実施形態においては、高電力期間を駆動電力Ｗｄが平均駆動電力以上の期間と
し、低電力期間を駆動電力Ｗｄが平均駆動電力よりも小さい期間としてもよい。すなわち
、制御部４０は、電力変動駆動において、ランプ電圧Ｖｌａが閾値以上の場合、駆動電力
Ｗｄが電力変動駆動における駆動電力Ｗｄの平均の値（所定電力の値）以上となる期間の
割合を大きくする構成としてもよい。この構成によれば、高電力期間の割合を大きくする
ことで、駆動電力波形の平均駆動電力を大きくすることができる。
【０１４５】
また、上記説明においては、電力変動駆動において駆動電力Ｗｄは滑らかに変動し、例
えば第２駆動電力波形ＤＷ１２は正弦波状の構成としたが、これに限られない。本実施形
態においては、駆動電力Ｗｄは、周期的に変動する範囲内において、どのように変動して
もよい。本実施形態においては、駆動電力Ｗｄは、例えば、矩形波状、台形波状、三角波
状、のこぎり波状、階段状等に変動してもよい。
【０１４６】
図１１（Ａ）〜（Ｃ）は、電力変動駆動における駆動電力Ｗｄの変化の他の一例を示す
グラフである。図１１（Ａ）〜（Ｃ）において縦軸は、駆動電力Ｗｄを示しており、横軸
は、時間Ｔを示している。図１１（Ａ）には、第１駆動電力波形ＤＷ２１が示されている
。図１１（Ｂ）には、第２駆動電力波形ＤＷ２２が示されている。図１１（Ｃ）には、第
３駆動電力波形ＤＷ２３が示されている。
【０１４７】
第１駆動電力波形ＤＷ２１の振幅と、第２駆動電力波形ＤＷ２２の振幅と、第３駆動電
力波形ＤＷ２３の振幅とは、例えば、互いに同じである。第１駆動電力波形ＤＷ２１、第
２駆動電力波形ＤＷ２２、および第３駆動電力波形ＤＷ２３は、例えば、定格電力Ｗｄｒ
と設定電力Ｗｄｓとの間で周期的に変化する。
【０１４８】
図１１（Ａ）に示すように、第１駆動電力波形ＤＷ２１は、台形波である。第１駆動電
力波形ＤＷ２１は、駆動電力Ｗｄが設定電力Ｗｄｓに維持される部分と、駆動電力Ｗｄが
設定電力Ｗｄｓから定格電力Ｗｄｒまで直線的に上昇する部分と、駆動電力Ｗｄが定格電
力Ｗｄｒから設定電力Ｗｄｓまで直線的に下降する部分とから形成されている。第１駆動
電力波形ＤＷ２１の１周期は、駆動電力Ｗｄが中間電力Ｗｄｍ以上となる高電力期間Ｐ２
１と、駆動電力Ｗｄが中間電力Ｗｄｍよりも小さくなる低電力期間Ｐ２２と、からなる。
【０１４９】
図１１（Ａ）の例では、第１駆動電力波形ＤＷ２１の１周期を、駆動電力Ｗｄが最小値
、すなわち、設定電力Ｗｄｓに維持される部分における中間の時刻から、次に駆動電力Ｗ
ｄが最小値に維持される部分における中間の時刻までとしている。すなわち、図１１（Ａ
）の例では、例えば、時刻Ｔ４から時刻Ｔ５まで、および時刻Ｔ５から時刻Ｔ６までを１
周期としている。
【０１５０】
なお、時刻Ｔ４，Ｔ５，Ｔ６は、図１１（Ｂ），（Ｃ）に示す第２駆動電力波形ＤＷ２
２および第３駆動電力波形ＤＷ２３において、駆動電力Ｗｄが最小値、すなわち、設定電
力Ｗｄｓとなる時刻である。
【０１５１】
低電力期間Ｐ２２は、第１低電力期間Ｐ２２ａと、第２低電力期間Ｐ２２ｂと、を含む
。第１低電力期間Ｐ２２ａは、駆動電力Ｗｄが設定電力Ｗｄｓに維持される部分と、駆動
電力Ｗｄが設定電力Ｗｄｓから中間電力Ｗｄｍに上昇する部分とからなる期間である。第
２低電力期間Ｐ２２ｂは、駆動電力Ｗｄが中間電力Ｗｄｍから設定電力Ｗｄｓに下降する
部分と、駆動電力Ｗｄが設定電力Ｗｄｓに維持される部分とからなる期間である。
【０１５２】
第１駆動電力波形ＤＷ２１において、１周期における高電力期間Ｐ２１の割合は、１周
期における低電力期間Ｐ２２の割合よりも小さい。すなわち、高電力期間Ｐ２１の長さｔ
２１は、第１低電力期間Ｐ２２ａの長さｔ２２ａと第２低電力期間Ｐ２２ｂの長さｔ２２
ｂとを足し合わせた長さよりも小さい。
【０１５３】
図１１（Ｂ）に示すように、第２駆動電力波形ＤＷ２２は、三角波である。第２駆動電
力波形ＤＷ２２の１周期は、駆動電力Ｗｄが中間電力Ｗｄｍ以上となる高電力期間Ｐ２３
と、駆動電力Ｗｄが中間電力Ｗｄｍよりも小さくなる低電力期間Ｐ２４と、からなる。低
電力期間Ｐ２４は、駆動電力Ｗｄが設定電力Ｗｄｓから中間電力Ｗｄｍに上昇する第１低
電力期間Ｐ２４ａと、駆動電力Ｗｄが中間電力Ｗｄｍから設定電力Ｗｄｓに下降する第２
低電力期間Ｐ２４ｂと、を含む。
【０１５４】
第２駆動電力波形ＤＷ２２において、１周期における高電力期間Ｐ２３の割合は、１周
期における低電力期間Ｐ２４の割合と同じである。すなわち、高電力期間Ｐ２３の長さｔ
２３は、第１低電力期間Ｐ２４ａの長さｔ２４ａと第２低電力期間Ｐ２４ｂの長さｔ２４
ｂとを足し合わせた長さと同じである。
【０１５５】
図１１（Ｃ）に示すように、第３駆動電力波形ＤＷ２３は、台形波である。第３駆動電
力波形ＤＷ２３は、駆動電力Ｗｄが設定電力Ｗｄｓから定格電力Ｗｄｒまで直線的に上昇
する部分と、駆動電力Ｗｄが定格電力Ｗｄｒに維持される部分と、駆動電力Ｗｄが定格電
力Ｗｄｒから設定電力Ｗｄｓまで直線的に下降する部分とから形成されている。第３駆動
電力波形ＤＷ２３の１周期は、駆動電力Ｗｄが中間電力Ｗｄｍ以上となる高電力期間Ｐ２
５と、駆動電力Ｗｄが中間電力Ｗｄｍよりも小さくなる低電力期間Ｐ２６と、からなる。
【０１５６】
低電力期間Ｐ２６は、駆動電力Ｗｄが設定電力Ｗｄｓから中間電力Ｗｄｍに上昇する第
１低電力期間Ｐ２６ａと、駆動電力Ｗｄが中間電力Ｗｄｍから設定電力Ｗｄｓに下降する
第２低電力期間Ｐ２６ｂと、を含む。
【０１５７】
第３駆動電力波形ＤＷ２３において、１周期における高電力期間Ｐ２５の割合は、１周
期における低電力期間Ｐ２６の割合よりも大きい。すなわち、高電力期間Ｐ２５の長さｔ
２５は、第１低電力期間Ｐ２６ａの長さｔ２６ａと第２低電力期間Ｐ２６ｂの長さｔ２６
ｂとを足し合わせた長さよりも大きい。
【０１５８】
第１駆動電力波形ＤＷ２１の高電力期間Ｐ２１の長さｔ２１と、第２駆動電力波形ＤＷ
２２の高電力期間Ｐ２３の長さｔ２３と、第３駆動電力波形ＤＷ２３の高電力期間Ｐ２５
の長さｔ２５とは、この順に大きくなる。すなわち、各駆動電力波形の周期ｔ２に対する
、高電力期間Ｐ２１の長さｔ２１の割合と、高電力期間Ｐ２３の長さｔ２３の割合と、高
電力期間Ｐ２５の長さｔ２５の割合とは、この順に大きくなる。
【０１５９】
第２駆動電力波形ＤＷ２２における平均駆動電力は、第１駆動電力波形ＤＷ２１におけ
る平均駆動電力よりも大きい。第３駆動電力波形ＤＷ２３における平均駆動電力は、第２
駆動電力波形ＤＷ２２における平均駆動電力よりも大きい。
【０１６０】
図１１（Ａ）〜（Ｃ）に示す第１駆動電力波形ＤＷ２１、第２駆動電力波形ＤＷ２２、
および第３駆動電力波形ＤＷ２３は、例えば、図７（Ａ）〜（Ｃ）に示す第１駆動電力波
形ＤＷ１１、第２駆動電力波形ＤＷ１２、および第３駆動電力波形ＤＷ１３と同様にして
切り替えられる。
【０１６１】
この構成によれば、駆動電力波形が直線的に変化するため、所望する高電力期間の割合
を有する駆動電力波形の形状を算出しやすい。
【０１６２】
また、上記説明においては、電力変動駆動における駆動電力Ｗｄの最大値は、定格電力
Ｗｄｒとしたが、これに限られない。電力変動駆動における駆動電力Ｗｄの最大値は、定
格電力Ｗｄｒよりも大きくてもよい。電力変動駆動における駆動電力Ｗｄの最大値の上限
は、例えば、放電灯９０に供給される駆動電流Ｉの値が、放電灯９０が点灯する際に放電
灯９０に供給される駆動電流Ｉの値を超えない範囲内で設定される。放電灯９０が点灯す
る際に放電灯９０に供給される駆動電流Ｉとは、第１電極９２と第２電極９３との間に高
電圧が印加され、絶縁破壊が生じた際に放電灯９０に供給される駆動電流Ｉである。
【０１６３】
なお、上記の実施形態において、透過型のプロジェクターに本発明を適用した場合の例
について説明したが、本発明は、反射型のプロジェクターにも適用することも可能である
。ここで、「透過型」とは、液晶パネル等を含む液晶ライトバルブが光を透過するタイプ
であることを意味する。「反射型」とは、液晶ライトバルブが光を反射するタイプである
ことを意味する。なお、光変調装置は、液晶パネル等に限られず、例えばマイクロミラー
を用いた光変調装置であってもよい。
【０１６４】
また、上記の実施形態において、３つの液晶パネル５６０Ｒ，５６０Ｇ，５６０Ｂ（液
晶ライトバルブ３３０Ｒ，３３０Ｇ，３３０Ｂ）を用いたプロジェクター５００の例を挙
げたが、本発明は、１つの液晶パネルのみを用いたプロジェクター、４つ以上の液晶パネ
ルを用いたプロジェクターにも適用可能である。
【０１６５】
また、上記説明した各構成は、相互に矛盾しない範囲内において、適宜組み合わせるこ
とができる。
【符号の説明】
【０１６６】
１０…放電灯点灯装置（放電灯駆動装置）、４０…制御部、９０…放電灯、９２…第１
電極、９３…第２電極、２００…光源装置、２３０…放電灯駆動部、３３０Ｒ，３３０Ｇ
，３３０Ｂ…液晶ライトバルブ（光変調装置）、３５０…投射光学系、５００…プロジェ
クター、５０２，５１２Ｒ，５１２Ｇ，５１２Ｂ…画像信号、５７０…画像処理装置、Ｐ
１１，Ｐ１３，Ｐ１５…高電力期間（期間）、Ｖｌａ…ランプ電圧（電極間電圧）、Ｗｄ
ｍ…中間電力（所定電力）、Ｗｄ…駆動電力
【図１】
2016173921.tif 000003
【図２】
2016173921.tif 000004
【図３】
2016173921.tif 000005
【図４】
2016173921.tif 000006
【図５】
2016173921.tif 000007
【図６】
2016173921.tif 000008
【図７】
2016173921.tif 000009
【図８】
2016173921.tif 000010
【図９】
2016173921.tif 000011
【図１０】
2016173921.tif 000012
【図１１】
2016173921.tif 000013